(57)【要約】【課題】界磁巻線に冷却フィンを設けた回転機における通風性能を向上させる。【解決手段】界磁巻線５０が磁極鉄心４０に巻装されて成る界磁極３０を周方向に複数有する回転子２０を備えた回転機１であって、前記界磁巻線５０は、コイル外周面８３から突出する複数の冷却フィン８２を有し、複数の前記冷却フィン８２は、前記コイル外周面８３から突出する突出量Ｌｃが前記回転子２０の外周側から内周側に向かって連続的または断続的に小さくなる（Ｌｃ1＞Ｌｃ2＞Ｌｃ3＞Ｌｃ4）ように形成されて成る。【選択図】図２
2016163377.tif 000002
【特許請求の範囲】
【請求項１】
磁極鉄心に界磁巻線が巻装されて成る界磁極を周方向に複数有する回転子を備えた回転機であって、
前記界磁巻線は、コイル外周面から突出する複数の冷却フィンを有し、
複数の前記冷却フィンは、前記コイル外周面から突出する突出量が前記回転子の外周側から内周側に向かって連続的または断続的に小さくなるように形成される
ことを特徴とする回転機。
【請求項２】
磁極鉄心に界磁巻線が巻装されて成る界磁極を周方向に複数有する回転子を備えた回転機であって、
前記界磁巻線は、前記回転子の周方向に隣接する前記界磁極間においてコイル外周面から突出する複数の冷却フィンを有し、
複数の前記冷却フィンは、前記コイル外周面から突出する突出量が前記回転子の外周側から内周側に向かって連続的または断続的に小さくなるように形成される
ことを特徴とする回転機。
【請求項３】
前記回転子が、当該回転子の周方向に隣接して設けられる前記界磁極の間に、当該界磁極における前記界磁巻線を押えるためのコイル押さえ部材を当該回転子の軸方向に複数有するものであり、
前記回転子の軸方向端部側に設置される前記コイル押さえ部材が、冷却媒体を前記回転子の軸方向に案内する軸方向案内手段を有するものであり、
前記回転子の軸方向端部側以外に設置される前記コイル押さえ部材が、冷却媒体を前記回転子の径方向に案内する径方向案内手段を有するものである
ことを特徴とする請求項１または請求項２に記載の回転機。
【発明の詳細な説明】
【技術分野】
【０００１】
本発明は、界磁巻線における冷却効率を向上させた回転機に関する。
【背景技術】
【０００２】
回転機には、種々の冷却構造が設けられており、例えば、回転子の回転軸に通風ファンが設けられ、回転機の駆動に伴って当該通風ファンが回転駆動されることにより、回転機内の通風が良くなり、回転機の冷却効率が向上される（例えば、特許文献１）。
【０００３】
また、回転機において特に発熱し易い界磁巻線には、コイル外周面からコイルの一部を突出せた冷却フィンが設けられている。このように、界磁巻線に冷却フィンが設けられることによって、界磁巻線のコイル表面積が増加され、界磁巻線における放熱が効果的に行われる。
【先行技術文献】
【特許文献】
【０００４】
【特許文献１】特開２００８−６７５４２号公報
【発明の概要】
【発明が解決しようとする課題】
【０００５】
しかし、界磁巻線に多数の冷却フィンが設けられた場合には、界磁巻線の周辺は冷却フィンが密集した状態となり、通風性能が低下してしまう。また、通風ファンによって冷却効率が向上された回転機においても、通風ファンによる冷却空気の送風が冷却フィンによって阻害されてしまう虞がある。
【０００６】
本発明は上記問題に鑑みてなされたもので、界磁巻線に冷却フィンを設けた回転機における通風性能を向上させることを目的とする。
【課題を解決するための手段】
【０００７】
上記課題を解決する第一の発明に係る回転機は、磁極鉄心に界磁巻線が巻装されて成る界磁極を周方向に複数有する回転子を備えた回転機であって、前記界磁巻線は、コイル外周面から突出する複数の冷却フィンを有し、複数の前記冷却フィンは、前記コイル外周面から突出する突出量が前記回転子の外周側から内周側に向かって連続的または断続的に小さくなるように形成されることを特徴とする。
【０００８】
上記課題を解決する第二の発明に係る回転機は、磁極鉄心に界磁巻線が巻装されて成る界磁極を周方向に複数有する回転子を備えた回転機であって、前記界磁巻線は、前記回転子の周方向に隣接する前記界磁極間においてコイル外周面から突出する複数の冷却フィンを有し、複数の前記冷却フィンは、前記コイル外周面から突出する突出量が前記回転子の外周側から内周側に向かって連続的または断続的に小さくなるように形成されることを特徴とする。
【０００９】
上記課題を解決する第三の発明に係る回転機は、第一または第二の発明に係る回転機において、前記回転子が、当該回転子の周方向に隣接して設けられる前記界磁極の間に、当該界磁極における前記界磁巻線を押えるためのコイル押さえ部材を当該回転子の軸方向に複数有するものであり、前記回転子の軸方向端部側に設置される前記コイル押さえ部材が、冷却媒体を前記回転子の軸方向に案内する軸方向案内手段を有するものであり、前記回転子の軸方向端部側以外に設置される前記コイル押さえ部材が、冷却媒体を前記回転子の径方向に案内する径方向案内手段を有するものであることを特徴とする。
【発明の効果】
【００１０】
第一の発明に係る回転機によれば、冷却フィンのコイル外周面から突出する突出量が回転子の外周側から内周側に向かって連続的または断続的に小さくなるので、突出量の小さい（短い）回転子の内周側に冷却空気等の通風空間を確保することができる。よって、回転機内の通風を良くし、回転機の冷却効率を向上させることができる。
例えば、回転子の回転軸に通風ファンが設けられた回転機においては、回転機の駆動に伴って回転駆動される通風ファンによって回転機内に送られる冷却空気が、冷却フィンによって阻害されることなく、上述の通風空間を通ることになり、回転機内の各種機器が効率的に冷却される。
【００１１】
第二の発明に係る回転機によれば、界磁極間における冷却フィンのコイル外周面から突出する突出量が回転子の外周側から内周側に向かって連続的または断続的に小さくなるので、突出量の小さい（短い）回転子の内周側、すなわち、界磁極間における回転子の内周側に冷却空気等の通風空間を確保することができる。よって、界磁極間における回転子の内周側の通風を良くし、回転機の冷却効率を向上させることができる。
例えば、回転子の回転軸に通風ファンが設けられた回転機においては、回転機の駆動に伴って回転駆動される通風ファンによって回転機内に送られる冷却空気が、冷却フィンによって阻害されることなく、界磁極間における回転子の内周側に形成される通風空間を通ることになる。つまり、通風ファンによる冷却空気の回転機軸方向への通風性能が向上されるので、回転機内の各種機器が効率的に冷却される。
【００１２】
第三の発明に係る回転機によれば、回転子の軸方向端部側に設置されるコイル押さえ部材に軸方向案内手段を設けることにより、冷却媒体を積極的に回転子の軸方向中央部側へ送ることができる。よって、例えば、回転子の回転軸に通風ファンが設けられた回転機においては、回転機の駆動に伴って回転駆動される通風ファンによって回転機内に送られる冷却空気が、コイル押さえ部材によって阻害されることなく、回転子の軸方向中央部側に案内され、回転機内の各種機器が効率的に冷却される。
また、回転子の軸方向端部側以外に設置されるコイル押さえ部材に径方向案内手段を設けることにより、冷却媒体を積極的に回転子の径方向へ送ることができる。よって、例えば、回転子の回転軸に通風ファンが設けられた回転機においても、回転機の駆動に伴って回転駆動される通風ファンによって回転機内に送られる冷却空気が、回転子の軸方向中央部側へ案内された後、コイル押さえ部材によって阻害されることなく、回転子の径方向に案内され、回転機内の各種機器が効率的に冷却される。
【図面の簡単な説明】
【００１３】
【図１】実施例１に係る回転機の構造を示す説明図（概略横断面図）である。
【図２】実施例１に係る回転機の周方向（界磁極間）に突出する冷却フィンを示す説明図（部分拡大図）である。
【図３】実施例１に係る回転機の軸方向に突出する冷却フィンを示す説明図（部分拡大図）である。
【図４】実施例１に係る回転機の構造を示す説明図（概略横断面図）である。
【図５】実施例１に係る回転機におけるコイル押さえ部材の配置を示す説明図（概略縦断面図）である。
【図６】実施例１に係る回転機におけるコイル押さえ部材の配置を示す説明図（概略平面図）である。
【発明を実施するための形態】
【００１４】
以下に、本発明に係る回転機の実施例について、添付図面を参照して詳細に説明する。もちろん、本発明は以下の実施例に限定されず、本発明の趣旨を逸脱しない範囲で各種変更が可能であることは言うまでもない。
【実施例１】
【００１５】
本実施例に係る回転機の構造について、図１から図６を参照して説明する。
【００１６】
図１に示すように、回転機１には、図示しないフレーム等に固定される略円筒形状のステータ１０と、ステータ１０の内周側に回転自在に保持されるロータ２０とが備えられている。そして、ステータ１０によって回転磁界が作られ、この回転磁界によってロータ２０が回転駆動されるようになっている。
【００１７】
そして、回転機１における回転軸２１には、冷却手段としての通風ファン２２が設けられており、回転機１の駆動に伴って通風ファン２２が回転駆動されることにより、回転機１内に冷却空気が送られるようになっている（図５参照）。
【００１８】
図１に示すように、ロータ２０には、複数（本実施例においては、四つ）の界磁極３０が等角度（本実施例においては、９０°）間隔で設けられており、この界磁極３０は、磁極鉄心４０と当該磁極鉄心４０に巻装される界磁巻線５０とから構成される。また、周方向に隣接する界磁極３０の間には、ロータ２０の回転時における界磁巻線５０の変形等を防止するために、後述するコイル押さえ部材６０，７０が設けられている。
【００１９】
図１および図２に示すように、界磁極３０における磁極鉄心４０は、図示しない鋼板が軸方向に多数積層されて成るものであり、径方向（図２における上下方向）に延びて界磁巻線５０が巻装される鉄心部４１と、鉄心部４１の径方向先端部（図２における上方側端部）に位置して鉄心部４１に巻装された界磁巻線５０が遠心力によって逸脱するのを防止する突極部４２とから成る。なお、突極部４２が周方向（図２における左右方向）に突出して略扇形形状に形成されることにより、周方向に隣接する界磁極３０における磁極鉄心４０（突極部４２）間の隙間が小さくなり、回転機１の駆動におけるコギングが低減されるようになっている。
【００２０】
図２および図３に示すように、界磁極３０における界磁巻線５０は、略中央に形成された係合穴部８１が磁極鉄心４０の鉄心部４１に係合して取り付けられる平板形状のコイル片８０ａと、コイル片８０ａの外周側（図２および図３における左方側）に平板形状の冷却フィン８２が設けられた形状の冷却フィン付きコイル片８０ｂとから成り、コイル片８０ａが図示しない絶縁紙を介して（挟んで）積層されると共に、このコイル片８０ａの数枚（または、一枚）毎に冷却フィン付きコイル片８０ｂが図示しない絶縁紙を介して（挟んで）積層されて成る。
【００２１】
このように、界磁巻線５０においてコイル片８０ａの数枚（または、一枚）毎に冷却フィン付きコイル片８０ｂが設けられることにより、冷却フィン８２が径方向に所定距離離間した状態でコイル外周面（コイル片８０ａの端部が位置する面）８３より突出される。よって、冷却ファン８２がコイル外周面８３より突出した分だけ、界磁巻線５０の表面積（コイル表面積）が増加されるので、界磁巻線５０における放熱が効果的に行われるようになる。つまり、界磁巻線５０の冷却効率が向上され、通風ファン２２による冷却がより効率的に行われる。
【００２２】
また、図２に示すように、界磁巻線５０における複数の冷却フィン付きコイル片８０ｂ、すなわち、界磁極３０においてコイル片８０ａの数枚（または、一枚）毎に積層される複数の冷却フィン付きコイル片８０ｂは、コイル外周面８３から周方向に突出する長さ、すなわち、冷却フィン８２の周方向フィン長さＬｃを異にするようにそれぞれ形成されている（Ｌｃ1，Ｌｃ2，Ｌｃ3，Ｌｃ4）。
【００２３】
そして、界磁巻線５０において、周方向フィン長さＬｃの短い冷却フィン付きコイル片８０ｂは、ロータ２０の内周側（図２における下方側）に位置し、周方向フィン長さＬｃの長い冷却フィン付きコイル片８０ｂは、ロータ２０の外周側（図２における上方側）に位置するようになっている。つまり、界磁巻線５０における複数の冷却フィン付きコイル片８０ｂは、周方向フィン長さＬｃがロータ２０の外周側から内周側へ向かって積層毎に漸減する、すなわち、連続的に小さくなるように（Ｌｃ1＞Ｌｃ2＞Ｌｃ3＞Ｌｃ4）、コイル片８０ａおよび図示しない絶縁紙と共に積層されている。
【００２４】
このように、界磁巻線５０において、周方向フィン長さＬｃをロータ２０の外周側から内周側へ向かって連続的に小さくなる（Ｌｃ1＞Ｌｃ2＞Ｌｃ3＞Ｌｃ4）、すなわち、ロータ２０の内周側に位置する冷却フィン付きコイル片８０ｂの周方向フィン長さＬｃをロータ２０の外周側に位置する冷却フィン付きコイル片８０ｂの周方向フィン長さＬｃよりも短くすることにより、周方向に隣接する界磁巻線５０（界磁極３０）間における内周側に通風空間Ｓを形成することができる。
【００２５】
よって、通風ファン２２によって送られる冷却空気は、冷却フィン付きコイル片８０ｂの冷却フィン８２に阻害されることなく、通風空間Ｓを流れることができる。つまり、回転機１において、冷却空気が界磁極３０間を流れ易く、界磁極３０間の通風性能が向上するので、回転機１の冷却効率が向上する。
【００２６】
また、図３に示すように、界磁巻線５０における複数の冷却フィン付きコイル片８０ｂ、すなわち、界磁極３０においてコイル片８０ａの数枚（または、一枚）毎に積層される複数の冷却フィン付きコイル片８０ｂは、コイル外周面８３から軸方向（図３における左右方向）に突出する長さ、すなわち、冷却フィン８２の軸方向フィン長さＬａを異にするようにそれぞれ形成されている（Ｌａ1，Ｌａ2，Ｌａ3，Ｌａ4）。
【００２７】
そして、界磁巻線５０において、軸方向フィン長さＬａの短い冷却フィン付きコイル片８０ｂは、ロータ２０の内周側（図３における下方側）に位置し、軸方向フィン長さＬａの長い冷却フィン付きコイル片８０ｂは、ロータ２０の外周側（図３における上方側）に位置するようになっている。つまり、界磁巻線５０における複数の冷却フィン付きコイル片８０ｂは、軸方向フィン長さＬａがロータ２０の外周側から内周側へ向かって積層毎に漸減する、すなわち、連続的に小さくなるように（Ｌａ1＞Ｌａ2＞Ｌａ3＞Ｌａ4）、コイル片８０ａおよび図示しない絶縁紙と共に積層されている。
【００２８】
このように、界磁巻線５０において、軸方向フィン長さＬａをロータ２０の外周側から内周側へ向かって連続的に小さくなる（Ｌａ1＞Ｌａ2＞Ｌａ3＞Ｌａ4）、すなわち、ロータ２０の内周側に位置する冷却フィン付きコイル片８０ｂの軸方向フィン長さＬａをロータ２０の外周側に位置する冷却フィン付きコイル片８０ｂの軸方向フィン長さＬａよりも短くすることにより、通風ファン２２によってロータ２０の軸方向中央部側へ流れなかった冷却空気が、ロータ２０の軸方向端部の近傍に滞留することなく、ステータ１０のコイルエンド１１に向かって流れる（図３における矢印Ｆ参照）。
【００２９】
つまり、回転機１において、通風ファン２２によって送られる冷却空気は、通風空間Ｓを通ってロータ２０の軸方向中央部側へ流れると共に、ロータ２０の軸方向端部からステータ１０のコイルエンド１１に向かって流れる、ロータ２０およびコイルエンド１１への通風性能が向上するので、回転機１の冷却効率が向上する。
【００３０】
図１および図４に示すように、コイル押さえ部材６０，７０は、周方向に隣接する界磁極３０間において、固定部材９０とボルト９１およびナット９２によって連結されており、両側の界磁極３０に設けられた界磁巻線５０の対向する部分（角部）を固定部材９０と共に挟持するようになっている。界磁巻線５０における冷却フィン付きコイル片８０ｂには、切り欠き部８４が設けられており、この切り欠き部８４の端部は、コイル片８０ａの端部と同じ位置（コイル外周面８３）に位置するようになっている。つまり、コイル押さえ部材６０，７０は、冷却フィン付きコイル片８０ｂの切り欠き部８４に対応した位置に設置されており、コイル押さえ部材６０，７０と冷却フィン８２とが干渉しないようになっている。
【００３１】
また、図５および図６に示すように、コイル押さえ部材６０，７０は、ロータ２０の軸方向（図５および図６における左右方向）に複数（本実施例においては、四つ）設けられており、その設置位置に応じて形状を異にしている（本実施例においては、形状を異にする第一のコイル押さえ部材６０と第二のコイル押さえ部材７０とから成る）。なお、冷却フィン付きコイル片８０ｂの切り欠き部８４は、コイル押さえ部材６０，７０と同じく、ロータ２０の軸方向に複数（本実施例においては、四つ）設けられている。
【００３２】
界磁極３０間においてロータ２０の軸方向端部側に設置される第一のコイル押さえ部材６０は、軸方向に非対称な形状から成り、隣接する界磁極３０に設けられた界磁巻線５０を押えるための押さえ部６１と、押さえ部６１の軸方向端部側に設けられて通風ファン２２によって送られる冷却空気をロータ２０の軸方向に案内する軸方向案内部６２と、押さえ部６１の軸方向中央部側（軸方向端部側以外）に設けられて通風ファン２２によって送られる冷却空気をロータ２０の径方向（図５における上方向および図６における上下方向）に案内する径方向案内部６３とを備えている。
【００３３】
第一のコイル押さえ部材６０の押さえ部６１は、略三角柱形状から成り、隣接する界磁極３０に設けられた両界磁巻線５０のコイル外周面８３に絶縁板９３を介して当接するように設けられている。また、押さえ部６１は、固定部材９０との間に隙間を設けた状態で取り付けられており、通風ファン２２によって送られる冷却空気は、押さえ部材６１と固定部材９０との間の隙間、および、固定部材９０の更に内周側の空間を通ってロータ２０の軸方向へ通風可能となっている。
【００３４】
第一のコイル押さえ部材６０の軸方向案内部６２は、略四角柱形状から成り、押さえ部６１の軸方向端部側に突出するように設けられている。また、軸方向案内部６２は、押さえ部６１の外周側に寄って設けられており、軸方向案内部６２の内周側（図５における下方側）には、所定の空間Ｓ62が形成されている。よって、通風ファン２２から送られて軸方向案内部６２の近傍を通る冷却空気は、軸方向案内部６２によってロータ２０の径方向外周側（図５における上方側）への流通が妨げられ、押さえ部材６１と固定部材９０との間の隙間、および、固定部材９０の更に内周側の空間を通ってロータ２０の軸方向中央部側へ案内されるようになっている（図５および図６における矢印Ｆ62参照）。
【００３５】
第一のコイル押さえ部材６０の径方向案内部６３は、略三角錐台形状から成り、押さえ部６１の軸方向端部側に突出するように設けられている。径方向案内部６３は、押さえ部６１における内周側から軸方向中央部側かつ外周側に傾斜する傾斜部６３ａを有している。よって、通風ファン２２から軸方向案内部６２によって軸方向中央部側へ案内された冷却空気は、径方向案内部６３によってロータ２０の外周側へ案内されるようになっている（図５および図６における矢印Ｆ63参照）。
【００３６】
軸方向中央側に設置される第二のコイル押さえ部材７０は、軸方向に対称な形状から成り、隣接する界磁極３０に設けられた界磁巻線５０を押えるための押さえ部７１と、押さえ部７１に設けられて通風ファン２２によって送られる冷却空気を径方向に案内する径方向案内部７２とを備えている。
【００３７】
第二のコイル押さえ部材７０の押さえ部７１は、第一のコイル押さえ部材６０の押さえ部６１と同様に、略三角柱形状から成り、隣接する界磁極３０に設けられた両界磁巻線５０のコイル外周面８３に絶縁板９３を介して当接するように設けられている。また、押さえ部７１は、固定部材９０との間に隙間を設けた状態で取り付けられており、通風ファン２２から送られる冷却空気は、押さえ部材７１と固定部材９０との間の隙間、および、固定部材９０の更に内周側の空間を通ってロータ２０の軸方向へ通風可能となっている。
【００３８】
第二のコイル押さえ部材７０の径方向案内部７２は、第一のコイル押さえ部材６０の径方向案内部６３と同様に、略三角錐台形状から成り、押さえ部７１の軸方向に突出するように設けられている。径方向案内部７２は、押さえ部７１における内周側から軸方向中央部側かつ外周側に傾斜する傾斜部７２ａを有している。よって、第二のコイル押さえ部材７０の近傍を通る冷却空気は、径方向案内部７２によってロータ２０の外周側へ案内されるようになっている（図５および図６における矢印Ｆ72参照）。
【００３９】
本発明の実施例１に係る回転機の動作について、図１から図６を参照して説明する。
【００４０】
ステータ２０によって回転磁界が作られ、この回転磁界によってロータ２０が回転駆動することにより、回転機１は駆動される（図１参照）。回転機１が駆動されると、回転機１の駆動に伴って回転軸２１に設けられた通風ファン２２が回転駆動され、回転機１内に冷却空気が送られる（図５参照）。
【００４１】
このとき、ロータ２０の界磁極３０において磁極鉄心４０に巻装された界磁巻線５０は、図示しない絶縁紙を介して（挟んで）積層されるコイル片８０ａと、このコイル片８０ａの数枚（または、一枚）毎に図示しない絶縁紙を介して（挟んで）積層される冷却フィン付きコイル片８０ｂとから構成されているので、界磁巻線５０の放熱が効果的に行われる（図１から図３参照）。つまり、界磁巻線５０の放熱効率が向上されるので、通風ファン２２による冷却がより効率的に行われる。
【００４２】
また、図２に示すように、界磁巻線５０における複数の冷却フィン付きコイル片８０ｂは、周方向フィン長さＬｃを異にするようにそれぞれ形成されており（Ｌｃ1，Ｌｃ2，Ｌｃ3，Ｌｃ4）、周方向フィン長さＬｃが外周側から内周側へ向かって積層毎に連続的に小さくなるように（Ｌｃ1＞Ｌｃ2＞Ｌｃ3＞Ｌｃ4）、コイル片８０ａおよび図示しない絶縁紙と共に積層されているので、通風ファン２２によって送られる冷却空気は、冷却フィン付きコイル片８０ｂの冷却フィン８２に阻害されることなく、通風空間Ｓを流れることになる。よって、界磁極３０間における通風性能が向上されるので、回転機１の冷却効率が向上される。
【００４３】
もちろん、本発明における冷却フィンは、本実施例のように周方向フィン長さＬｃが全て異なる長さであり、外周側から内周側へ向かって積層毎に連続的に小さくしたもの（Ｌｃ1＞Ｌｃ2＞Ｌｃ3＞Ｌｃ4）に限定されない。本発明における冷却フィンとして、周方向フィン長さ（突出量）を全て異なる長さとせず、外周側から内周側へ向かって段階的（断続的）に小さくしたもの、例えば、隣接する一部の冷却フィンの周方向フィン長さＬｃを同じ長さとし（Ｌｃ2＝Ｌｃ3）、複数の冷却フィンが全体として外周側から内周側へ向かって小さくしたもの（Ｌｃ1＞Ｌｃ2＝Ｌｃ3＞Ｌｃ4）であっても良い。
【００４４】
また、図３に示すように、界磁巻線５０における複数の冷却フィン付きコイル片８０ｂは、軸方向フィン長さＬａを異にするようにそれぞれ形成されており（Ｌａ1，Ｌａ2，Ｌａ3，Ｌａ4）、軸方向フィン長さＬａが外周側から内周側へ向かって積層毎に連続的に小さくなるように（Ｌａ1＞Ｌａ2＞Ｌａ3＞Ｌａ4）、コイル片８０ａおよび図示しない絶縁紙と共に積層されているので、通風ファン２２によってロータ２０の軸方向中央部側へ流れなかった冷却空気は、ロータ２０の軸方向端部の近傍に滞留することなく、ステータ１０のコイルエンド１１に向かって流れることになる（図３における矢印Ｆ参照）。よって、冷却空気の滞留が抑制されると共に、コイルエンド１１の冷却効率が向上される。つまり、回転機１内およびコイルエンド１１への通風性能が向上され、回転機１の冷却効率が向上される。
【００４５】
もちろん、本発明における冷却フィンは、本実施例のように軸方向フィン長さＬａが全て異なる長さであり、外周側から内周側へ向かって積層毎に連続的に小さくしたもの（Ｌａ1＞Ｌａ2＞Ｌａ3＞Ｌａ4）に限定されない。本発明における冷却フィンとして、軸方向フィン長さ（突出量）を全て異なる長さとせず、外周側から内周側へ向かって段階的（断続的）に小さくしたもの、例えば、隣接する一部の冷却フィンの軸方向フィン長さＬａを同じ長さとし（Ｌａ2＝Ｌａ3）、複数の冷却フィンが全体として外周側から内周側へ向かって小さくしたもの（Ｌａ1＞Ｌａ2＝Ｌａ3＞Ｌａ4）であっても良い。
【００４６】
また、図４から図６に示すように、通風ファン２２によってロータ２２の軸方向端部から軸方向中央部側へ送られる冷却空気は、まず、第一のコイル押さえ部材６０の軸方向案内部６２によってロータ２０の径方向外周側への流通が妨げられ、押さえ部材６１と固定部材９０との間の隙間、および、固定部材９０の更に内周側の空間を通ってロータ２０の軸方向中央部側へ案内される（図５および図６における矢印Ｆ62参照）。
【００４７】
次に、第一のコイル押さえ部材６０の軸方向案内部６２によってロータ２０の軸方向中央部側へ案内された冷却空気は、第一のコイル押さえ部材６０の径方向案内部６３（傾斜部６３ａ）および第二のコイル押さえ部材７０の径方向案内部７３（傾斜部７３ａ）によってロータ２０の外周側へ案内される（図５および図６における矢印Ｆ63およびＦ72参照）。
【００４８】
以上のようにして、本実施例に係る回転機１によれば、界磁巻線５０に冷却フィン８２を設けていても、回転機１における通風性能が向上され、通風ファン２２等による冷却効率が向上される。
【００４９】
本発明における冷却フィンは、本実施例のようにロータ２０の周方向に隣接する界磁極３０間およびロータ２０の軸方向においてコイル外周面８３から突出するものに限定されず、ロータ２０の周方向に隣接する界磁極３０間またはロータ２０の軸方向のいずれか一方においてコイル外周面８３から突出するものであっても良い。
【００５０】
ロータ２０の周方向に隣接する界磁極３０間においてコイル外周面８３から突出する冷却フィン８２の周方向フィン長さ（突出量）Ｌｃのみをロータ２０の外周側から内周側に向かって連続的または断続的に小さくなるように形成した場合においても、本実施例と同様に、通風ファン２２によって回転機１内に送られる冷却空気は、冷却フィン８２によって阻害されることなく、界磁極３０間におけるロータ２０の内周側に形成される通風空間Ｓを流れる。よって、界磁極３０間の通風性能、および、通風ファン２２による冷却空気の回転機１軸方向への通風性能が向上されるので、回転機１内の各種機器が効率的に冷却される。
【００５１】
一方、ロータ２０の軸方向に突出する冷却フィン８２の軸方向フィン長さ（突出量）Ｌａのみをロータ２０の外周側から内周側に向かって連続的または断続的に小さくなるように形成した場合においても、本実施例と同様に、通風ファン２２によってロータ２０の軸方向中央部側へ流れなかった冷却空気は、ロータ２０の軸方向端部の近傍に滞留することなく、ステータ１０のコイルエンド１１に向かって流れる。よって、冷却空気の滞留が抑制されると共に、コイルエンド１１の冷却効率が向上される。つまり、回転機１内およびコイルエンド１１への通風性能が向上され、回転機１の冷却効率が向上される。
【符号の説明】
【００５２】
１      回転機
１０    ステータ
１１    コイルエンド
２０    ロータ（回転子）
２１    回転軸
２２    通風ファン
３０    界磁極
４０    磁極鉄心
４１    鉄心部
４２    突極部
５０    界磁巻線
６０    第一のコイル押さえ部材
６１    押さえ部
６２    軸方向案内部（軸方向案内手段）
６３    径方向案内部（径方向案内手段）
７０    第一のコイル押さえ部材
７１    押さえ部
７２    径方向案内部（径方向案内手段）
８０ａ  コイル片
８０ｂ  冷却フィン付きコイル片
８１    界磁巻線の係合穴部
８２    界磁巻線の冷却フィン
８３    界磁巻線のコイル外周面
８４    界磁巻線の切り欠き部
９０    固定部材
９１    ボルト
９２    ナット
９３    絶縁板
Ｌｃ    周方向フィン長さ（突出量）
Ｌａ    軸方向フィン長さ（突出量）
【図１】
2016163377.tif 000003
【図２】
2016163377.tif 000004
【図３】
2016163377.tif 000005
【図４】
2016163377.tif 000006
【図５】
2016163377.tif 000007
【図６】
2016163377.tif 000008